(57)【要約】【課題】高品質の斜め延伸シート・フィルムを安定して生産すること。【解決手段】延伸対象のシート・フィルムの両左右側縁部を、各々、走行移動に伴って縦方向のクリップピッチが変化する可変ピッチ型の左右のクリップによって把持し、クリップの縦方向のクリップピッチが拡大を開始する位置（ＡＲ、ＡＬ）を左側のクリップと右側のクリップとでシート・フィルムの進行方向に対して差ΔＬを与え、クリップの走行移動に伴って当該クリップの縦方向のクリップピッチが拡大することにより斜め延伸を行う。【選択図】図６
2008023775.tif 000002
【特許請求の範囲】
【請求項１】
延伸対象のシート・フィルムの両左右側縁部を、各々、走行移動に伴って縦方向のクリップピッチが変化する可変ピッチ型の左右のクリップによって把持し、前記クリップの縦方向のクリップピッチが拡大を開始する位置を左側のクリップと右側のクリップとでシート・フィルムの進行方向に対して差を与え、前記クリップの走行移動に伴って当該クリップの縦方向のクリップピッチが拡大することにより斜め延伸を行うことを特徴とするシート・フィルムの斜め延伸方法。
【請求項２】
延伸対象のシート・フィルムの両左右側縁部を、各々、走行移動に伴って縦方向のクリップピッチが変化する可変ピッチ型の左右のクリップによって把持し、前記クリップの走行移動に伴う左側のクリップの縦方向クリップピッチの拡大率と右側のクリップの縦方向クリップピッチの拡大率とに差を与え、前記クリップの走行移動に伴って当該クリップの縦方向のクリップピッチが拡大することにより斜め延伸を行うことを特徴とするシート・フィルムの斜め延伸方法。
【請求項３】
走行移動に伴って前記左右のクリップの左右間隔を拡大することにより、斜め延伸に併せて横延伸を行うことを特徴とする請求項１または２に記載のシート・フィルムの斜め延伸方法。
【請求項４】
延伸対象のシート・フィルムの両左右側縁部を把持し、各々、走行移動に伴って縦方向のクリップピッチが変化する可変ピッチ型の左右のクリップを有し、
前記クリップの縦方向のクリップピッチが拡大を開始する位置が左側のクリップと右側のクリップとでシート・フィルムの進行方向に対して異なっていることを特徴とするクリップ式シート・フィルム延伸装置。
【請求項５】
延伸対象のシート・フィルムの両左右側縁部を把持し、各々、走行移動に伴って縦方向のクリップピッチが変化する可変ピッチ型の左右のクリップを有し、
前記クリップの走行移動に伴う左側のクリップの縦方向クリップピッチの拡大率と右側のクリップの縦方向クリップピッチの拡大率とが異なっていることを特徴とするクリップ式シート・フィルム延伸装置。
【請求項６】
走行移動に伴って前記左右のクリップの左右間隔が拡大するように構成されていることを特徴とする請求項４または５に記載のクリップ式シート・フィルム延伸装置。
【発明の詳細な説明】
【技術分野】
【０００１】
この発明は、シート・フィルムの斜め延伸方法およびクリップ式シート・フィルム延伸装置に関し、特に、偏光膜、位相差膜等、傾斜配向の光学用シート・フィルムの製造に用いられるシート・フィルムの斜め延伸方法およびクリップ式シート・フィルム延伸装置に関するものである。
【背景技術】
【０００２】
４５度に配向軸が傾いた偏光膜、位相差膜等を歩留まりよく製造するために、クリップ式シート・フィルム延伸装置を用い、ポリマフィルム（シート・フィルム）の左右両側縁を各々複数個のクリップによって把持し、クリップをポリマフィルムの長手方向に移動させつつ張力をポリマフィルムに斜めに付与して斜め延伸を行う技術がある。
【０００３】
等クリップピッチのクリップ式シート・フィルム延伸装置による斜め延伸では、シート・フィルムの進行に対して傾斜した斜め方向の延伸成分をシート・フィルムに与えるべく、クリップによるシート・フィルム把持位置から解放位置までの間で、一方の側のクリップに対して他方の側のクリップを、延伸出口幅と同じ長さの遅れ（片側遅れ）を生じさせる必要がある。
【０００４】
このことに対して、クリップによるシート・フィルム把持位置から解放位置までのクリップ移動軌跡長に、右側のクリップの左側のクリップとで差を付けて片側遅れを与えるもの（例えば、特許文献１、２）、右側のクリップの移動速度と左側のクリップの移動速度に差を付けて片側遅れを与えるもの（例えば、特許文献３）がある。
【特許文献１】特開２００２−８６５５４号公報
【特許文献２】特開２００４−３２５５６１号公報
【特許文献３】特開２００２−２２９４４号公報
【発明の開示】
【発明が解決しようとする課題】
【０００５】
直進タイプで、クリップによるシート・フィルム把持位置から解放位置までのクリップ移動軌跡長に、右側のクリップの左側のクリップとで差を付けて片側遅れを与えるものでは、左右のクリップ移動軌跡長差に起因してシート・フィルムの幅方向（ＴＤ方向）で配向むらが生じ、しかも、左右で相対するクリップ間距離の変化が一様でないため、高品質の斜め延伸シート・フィルムを安定して生産することが難しい。
【０００６】
湾曲タイプで、左右のクリップ移動軌跡長差を付けるものは、延伸入口と延伸出口とで４５度の角度が付き、機器レイアウトの面で不利になる。また、傾斜角度を微調整する際には、延伸機の角度のみならず、延伸機の上流側、下流側に付随する機器装置の配置も変更しなくてはならない。
【０００７】
右側のクリップの移動速度と左側のクリップの移動速度に差を付けて片側遅れを与えるものでは、クリップによってシート・フィルムを把持する（クリップ・オン）と同時に延伸を開始し、延伸終了と同時にクリップによるシート・フィルムの把持を解放（クリップ・オフ）しなくてはならず、しかも、クリップ・オン時、クリップ・オフ時のクリップの移動速度が左右で異なるため、シート・フィルムの把持が、左右で、ばらつき、現実的には、安定した生産はできない。また、左右で、縦方向（ＭＤ方向）の延伸倍率が異なったものになる。
【０００８】
この発明が解決しようとする課題は、上述の問題を解決し、高品質の斜め延伸シート・フィルムを安定して生産することである。
【課題を解決するための手段】
【０００９】
この発明によるシート・フィルムの斜め延伸方法は、延伸対象のシート・フィルムの両左右側縁部を、各々、走行移動に伴って縦方向のクリップピッチが変化する可変ピッチ型の左右のクリップによって把持し、前記クリップの縦方向のクリップピッチが拡大を開始する位置を左側のクリップと右側のクリップとでシート・フィルムの進行方向に対して差を与え、前記クリップの走行移動に伴って当該クリップの縦方向のクリップピッチが拡大することにより斜め延伸を行う。
【００１０】
この発明によるシート・フィルムの斜め延伸方法は、延伸対象のシート・フィルムの両左右側縁部を、各々、走行移動に伴って縦方向のクリップピッチが変化する可変ピッチ型の左右のクリップによって把持し、前記クリップの走行移動に伴う左側のクリップの縦方向クリップピッチの拡大率と右側のクリップの縦方向クリップピッチの拡大率とに差を与え、前記クリップの走行移動に伴って当該クリップの縦方向のクリップピッチが拡大することにより斜め延伸を行う。
【００１１】
この発明によるシート・フィルムの斜め延伸方法は、好ましくは、更に、走行移動に伴って前記左右のクリップの左右間隔を拡大することにより、斜め延伸に併せて横延伸を行う。
【００１２】
この発明によるクリップ式シート・フィルム延伸装置は、延伸対象のシート・フィルムの両左右側縁部を把持し、各々、走行移動に伴って縦方向のクリップピッチが変化する可変ピッチ型の左右のクリップを有し、前記クリップの縦方向のクリップピッチが拡大を開始する位置が左側のクリップと右側のクリップとでシート・フィルムの進行方向に対して異なっている。
【００１３】
この発明によるクリップ式シート・フィルム延伸装置は、延伸対象のシート・フィルムの両左右側縁部を把持し、各々、走行移動に伴って縦方向のクリップピッチが変化する可変ピッチ型の左右のクリップを有し、前記クリップの走行移動に伴う左側のクリップの縦方向クリップピッチの拡大率と右側のクリップの縦方向クリップピッチの拡大率とが異なっている。
【００１４】
この発明によるクリップ式シート・フィルム延伸装置は、好ましくは、更に、走行移動に伴って前記左右のクリップの左右間隔が拡大するように構成されている。
【発明の効果】
【００１５】
この発明によるシート・フィルムの斜め延伸方法、クリップ式シート・フィルム延伸装置では、走行移動に伴って縦方向のクリップピッチが拡大することによって縦方向の延伸が行われつつ、その縦方向のクリップピッチが拡大を開始する位置が左側のクリップと右側のクリップとでシート・フィルムの進行方向に対して異なっている、あるいは左右のクリップの縦方向クリップピッチの拡大率が異なっているより、斜め延伸が行われるから、左右のクリップの移動軌跡長に差を与えることなく斜め延伸を行うことかできる。
【００１６】
また、クリップによってシート・フィルムを把持するクリップ・オン時とクリップによるシート・フィルムの把持を解放するクリップ・オフ時のクリップの移動速度を等しくできるので、シート・フィルムの把持が、左右で、ばらつくことがない。これらのことにより、高品質の斜め延伸シート・フィルムを安定して生産することができる。
【００１７】
斜延伸安定した生産はできない
これにより、直進タイプで、シート・フィルムの幅方向（ＴＤ方向）で配向むらが生じたりすることなく、高品質の斜め延伸シート・フィルムを安定して生産することができる。
【００１８】
また、クリップの縦方向のクリップピッチの変化量の設定によって斜め延伸の倍率を調整でき、しかも、斜め延伸と同時に横延伸も行うこともできる。
【発明を実施するための最良の形態】
【００１９】
この発明によるクリップ式シート・フィルム延伸装置の一つの実施形態を、図１〜図５を参照して説明する。
【００２０】
まず、図１を参照して本実施形態によるクリップ式シート・フィルム延伸装置の全体構成について説明する。
【００２１】
クリップ式シート・フィルム延伸装置は、平面視で、左右両側に、シート・フィルム把持用の多数のクリップ２０を有する無端ループ１０Ｒと１０Ｌとを左右対称に有する。なお、ｂの実施形態では、延伸対象のシート・フィルムの入口側から見て右側の無端ループを右側の無端ループ１０Ｒ、左側の無端ループを左側の無端ループ１０Ｌと云う。
【００２２】
左右の無端ループ１０Ｒ、１０Ｌのクリップ２０は、各々、基準レール１００に案内されてループ状に巡回移動する。右側の無端ループ１０Ｒは時計廻り方向に巡回移動し、左側の無端ループ１０Ｒは反時計廻り方向に巡回移動し、図１の紙面で見て左側が延伸対象のシート・フィルムの入口側で、右側が延伸対象のシート・フィルムの出口側である。
【００２３】
シート・フィルムの入口側から出口側へ向けて、予熱ゾーンＡ、延伸ゾーンＢ、熱処理ゾーンＣが順に構成されている。
【００２４】
予熱ゾーンＡでは、左右の無端ループ１０Ｒ、１０Ｌの離間距離が横延伸初期幅相当で小さくて、全域に亘って左右の無端ループ１０Ｒ、１０Ｌが互いに平行な配置になっている。
【００２５】
延伸ゾーンＢでは、予熱ゾーンＡの側から熱処理ゾーンＣに向かうに従って左右の無端ループ１０Ｒ、１０Ｌの離間距離が徐々に拡大され、左右の無端ループ１０Ｒ、１０Ｌが非平行の配置になっているている。延伸ゾーンＢにおける左右の無端ループ１０Ｒ、１０Ｌの離間距離は、延伸開始端（予熱ゾーンＡとの接続端）では横延伸初期幅相当になっており、延伸終了端（熱処理ゾーンＣとの接続端）では横延伸最終幅相当になっている。
【００２６】
熱処理ゾーンＣでは、左右の無端ループ１０Ｒ、１０Ｌの離間距離が横延伸最終幅相当で大きくて、全域に亘って左右の無端ループ１０Ｒ、１０Ｌが互いに平行な配置になっている。
【００２７】
つぎに、図２〜図５を参照して本実施形態によるクリップ式シート・フィルム延伸装置の詳細構造について説明する。
【００２８】
左右の無端ループ１０Ｒ、１０Ｌの複数個のクリップ２０は、各々、長方形状のクリップ担持部材３０の長手方向の一端部（前側）に取り付けられている。なお、右側の無端ループ１０Ｒのクリップ２０は右側のクリップであり、左側の無端ループ１０Ｌのクリップ２０は左側のクリップであり、各々、走行移動に伴って縦方向のクリップピッチ（クリップＭＤピッチ）が変化する可変ピッチ型のものである。
【００２９】
クリップ２０は、シート・フィルムＷを係脱可能に把持するものであり、ヨーク形状のクリップ本体２１と、クリップ本体２１に固定装着された下側固定クリップ部材２２と、ピン２３によってクリップ本体２１に回動可能に取り付けられた可動レバー２４と、可動レバー２４の下端にピン２５によって揺動可能に取り付けられた上側可動クリップ部材２６とを有し、下側固定クリップ部材２２と上側可動クリップ部材２６とで、シート・フィルムＷの側縁を挟み込み式に把持する。
【００３０】
クリップ担持部材３０は、各々、クリップ２０を個々に担持するものであり、クリップ２０の個数と同数個、存在する。クリップ担持部材３０は、上梁３５、下梁３６、前壁３７、後壁３８とによる閉じ断面の剛固なフレーム構造（図４、図５参照）に形成されている。クリップ担持部材３０の両端（前壁３７、後壁３８）には各々、軸３１、３２によって走行輪３３、３４が回転可能に設けられている。走行輪３３、３４は、基台１１０に形成された水平な走行路面１１１、１１２上を転動する。走行路面１１１、１１２は全域に亘って基準レール１００に並行している。
【００３１】
各クリップ担持部材３０の上梁３５と下梁３６の他端側（後側）には、長手方向に長い長孔（長形の穴）３９が形成されている。上下の長孔３９には各々スライダ４０が長孔３９の長手方向にスライド可能に係合している。
【００３２】
各クリップ担持部材３０の一端部（クリップ２０側）の近傍には、上梁３５、下梁３６を貫通して一本の第１の軸部材５１が垂直に設けられている。各クリップ担持部材３０の上下のスライダ４０には一本の第２の軸部材５２が垂直に貫通して設けられている。
【００３３】
各クリップ担持部材３０の第１の軸部材５１には主リンク部材５３の一端が枢動連結されている。主リンク部材５３は、他端を隣接するクリップ担持部材３０の第２の軸部材５２に枢動連結されている。
【００３４】
各クリップ担持部材３０の第１の軸部材５１には、主リンク部材５３に加えて、副リンク部材５４の一端が枢動連結されている。副リンク部材５４は、他端を主リンク部材５３の中間部に枢軸５５によって枢動連結されている。
【００３５】
主リンク部材５３、副リンク部材５４によるリンク機構により、図２に示されているように、スライダ４０がクリップ担持部材３０の他端側（反クリップ側）に移動しているほど、クリップ担持部材３０同士の縦方向のピッチ（クリップＭＤピッチ）が小さくなり、図３に示されているように、スライダ４０がクリップ担持部材３０の一端側（クリップ側）に移動しているほど、クリップ担持部材３０同士の縦方向のピッチが大きくなる。
【００３６】
なお、この実施形態では、クリップ担持部材３０同士の最小ピッチは、図２に示されているように、隣接するクリップ担持部材３０同士が接触することにより決められ、クリップ担持部材３０同士の最大ピッチは、スライダ４０がクリップ担持部材３０の一端側（クリップ側）のストロークエンドに到達することにより決められる。
【００３７】
第１の軸部材５１の下端には案内ローラ（係合子）５６が回転可能に設けられている。案内ローラ５６は基台１１０上に設けられてクリップ２０の巡回経路を画定する基準レール１００の凹溝１０１に係合している。第１の軸部材５１の上端には駆動ローラ５８が回転可能に設けられている。
【００３８】
駆動ローラ５８は、駆動用スプロケット１１、１２（図１参照）に選択的に係合し、各クリップ担持部材３０を巡回経路に沿って走行させる。つまり、駆動用スプロケット１１、１２は、各クリップ担持部材３０の駆動ローラ５８と選択的に係合し、電動モータ１３、１４（図１参照）によって回転駆動されて各クリップ担持部材３０を巡回経路に沿って走行させる力をクリップ担持部材３０に与える。
【００３９】
第２の軸部材５２の下端にはピッチ設定ローラ（係合子）５７が回転可能に設けられている。ピッチ設定ローラ５７は、基台１１０上に基準レール１００に沿って設けられたピッチ設定レール１２０の凹溝１２１に係合し、長孔３９におけるスライダ４０の位置を設定する。
【００４０】
ピッチ設定レール１２０は、基準レール１００との離間距離によって長孔３９におけるスライダ４０の位置を決める働きをし、このことにより、隣接するクリップ担持部材３０同士のピッチを可変設定する。ピッチ設定レール１２０は、基準レール１００との離間距離が長いほど、つまり基準レール１００より遠ざかっているほど、スライダ４０をクリップ担持部材３０の他端側（反クリップ側）に移動させてクリップ担持部材３０同士のピッチを小さくし、基準レール１００との離間距離が短いほど、つまり基準レール１００に近づいているほど、スライダ４０をクリップ担持部材３０の一端側（クリップ側）に移動させてクリップ担持部材３０同士のピッチを大きくする。
【００４１】
ピッチ設定レール１２０について、図１参照して説明する。ピッチ設定レール１２０は、予熱ゾーンＡでは、基準レール１００との離間距離が全域に亘って一様に最小ピッチ設定の最大値になっている。
【００４２】
延伸ゾーンＢでは、ピッチ設定レール１２０の基準レール１００との離間距離は、延伸開始端（予熱ゾーンＡとの接続端）において最小ピッチ設定の最大値で、これより延伸終了端側へ向かうに従って徐々に短くなり、延伸終了端において最大ピッチ設定の最小値になっている。
【００４３】
熱処理ゾーンＣでは、ピッチ設定レール１２０の基準レール１００との離間距離は、全域に亘って一様に最大ピッチ設定の最小値になっている。
【００４４】
つぎに、上述の構成によるクリップ式シート・フィルム延伸装置の作用について説明する。
【００４５】
右側の無端ループ１０Ｒの駆動用スプロケット１１、１２は電動モータ１３、１４によって時計廻り方向に、左側の無端ループ１０Ｌの駆動用スプロケット１１、１２は電動モータ１３、１４によって反時計廻り方向に各々回転駆動され、これら駆動用スプロケット１１、１２に係合している駆動ローラ５８のクリップ担持部材３０に走行力が与えられる。これにより、右側の無端ループ１０Ｒは時計廻り方向に巡回移動し、左側の無端ループ１０Ｌは反時計廻り方向に巡回移動し、図１の紙面で見て左側（入口側）から延伸対象のシート・フィルムが左右の無端ループ１０Ｒ、１０Ｌ間に取り込まれる。
【００４６】
このシート・フィルム取り込みの入口において、左右の無端ループ１０Ｒ、１０Ｌのクリップ２０によってシート・フィルムの両側縁が把持（クリップ・オン）され、左右の無端ループ１０Ｒ、１０Ｌの移動、つまり、基準レール１００に案内された各クリップ担持部材３０の移動により、シート・フィルムは、まず、予熱ゾーンＡに進入する。
【００４７】
予熱ゾーンＡでは、左右の無端ループ１０Ｒ、１０Ｌの離間距離が横延伸初期幅相当で小さくて、全域に亘って左右の無端ループ１０Ｒ、１０Ｌが互いに平行な配置であること、ピッチ設定レール１２０と基準レール１００との離間距離が全域に亘って一様に最小ピッチ設定の最大値になっていることにより、横延伸も、縦延伸も行われず、予熱だけが行われる。
【００４８】
シート・フィルムは、予熱後、続いて延伸ゾーンＢに進入する。延伸ゾーンＢでは、予熱ゾーンＡの側から熱処理ゾーンＣに向かうに従って左右の無端ループ１０Ｒ、１０Ｌの離間距離が徐々に拡大されていること、ピッチ設定レール１２０の基準レール１００との離間距離が予熱ゾーンＡの側から熱処理ゾーンＣに向かうに従って徐々に短くなってることにより、スライダ４０がクリップ担持部材３０の一端側（クリップ側）に移動し、クリップ担持部材３０同士のピッチが徐々に大きくなる。これにより、横延伸と同時に縦延伸が行われる。
【００４９】
シート・フィルムは、延伸ゾーンＢを通過することにより、横延伸と縦延伸の同時二軸延伸され、延伸終了後に、続いて熱処理ゾーンＣに進入する。熱処理ゾーンＣでは、左右の無端ループ１０Ｒ、１０Ｌの離間距離が横延伸最終幅相当で大きくて、全域に亘って左右の無端ループ１０Ｒ、１０Ｌが互いに平行な配置になっていること、ピッチ設定レール１２０と基準レール１００との離間距離が全域に亘って一様に最大ピッチ設定の最小値になっていることにより、横延伸も、縦延伸も行われず、温度調整等の熱処理だけが行われる。
【００５０】
熱処理ゾーンＣの終端の出口では、左右の無端ループ１０Ｒ、１０Ｌのクリップ２０によるシート・フィルムの把持が解放（クリップ・オフ）され、シート・フィルムは直進し、クリップ担持部材３０は基準レール１００に案内されてループ状に巡回移動する。
【００５１】
斜め延伸を行う場合には、図６に示されているように、右側の無端ループ１０Ｒのクリップ２０の縦方向クリップピッチが拡大を開始する位置ＡＲと、左側の無端ループ１０Ｌのクリップ２０の縦方向クリップピッチが拡大を開始する位置ＡＬとに、シート・フィルムの進行方向に対して差ΔＬが与えられている。
【００５２】
これにより、左右の無端ループ１０Ｒ、１０Ｌの等速駆動下において、クリップ２０の走行移動に伴って縦方向クリップピッチが拡大することによって縦方向の延伸が行われつつ、その縦方向のクリップピッチが拡大を開始する位置が左側のクリップ２０と右側のクリップ２０とでシート・フィルムの進行方向に対して差ΔＬだけ異なっているより、斜め延伸が行われる。
【００５３】
なお、右側の無端ループ１０Ｒのクリップ２０の縦方向クリップピッチ拡大開始位置ＡＲと拡大終了位置ＢＲとの距離と、左側の無端ループ１０Ｌのクリップ２０の縦方向クリップピッチ拡大開始位置ＡＬと拡大終了位置ＢＬとの距離は互いに等しい値に設定されている。
【００５４】
これにより、左右のクリップ２０の移動軌跡長や移動速度に差を与えることなく斜め延伸を行うことができ、直進タイプで、シート・フィルムの幅方向（ＴＤ方向）で配向むらが生じたりすることなく、高品質の斜め延伸シート・フィルムを安定して生産することができる。
【００５５】
特に、クリップ２０によってシート・フィルムを把持するクリップ・オン時の左右のクリップ２０の移動速度が等しく、クリップ２０によるシート・フィルムの把持を解放するクリップ・オフ時の左右のクリップ２０の移動速度も等しことにより、シート・フィルムの把持、解放が、左右で、ばらつくことがない。このことによっても、高品質の斜め延伸シート・フィルムを安定して生産することができる。
【００５６】
斜め延伸の角度（配向角度）が４５度である場合には、差（ずれ量）ΔＬは、ΔＬ＝（延伸出口フィルム幅）×（延伸前初期縦方向クリップピッチ）／｛（延伸終了時縦方向クリップピッチ）−（延伸前初期縦方向クリップピッチ）｝で表される。
【００５７】
また、クリップ２０の縦方向のクリップピッチ拡大量は、左右の無端ループ１０Ｒ、１０Ｌのもので互いに等しくてよい。これにより、左右の延伸率が等しい斜め延伸シート・フィルムが生産される。また、クリップ２０の縦方向のクリップピッチの変化量（クリップピッチ拡大量）の設定によって、斜め延伸の倍率を調整できる。
【００５８】
これらクリップ２０の縦方向クリップピッチの拡大量は、ピッチ設定レール１２０の形状によって任意に設定できるから、左右の延伸率が等しい斜め延伸シート・フィルムの生産や、斜め延伸の倍率の調整を、融通性よく、容易に行うことができる。
【００５９】
また、この実施形態では、左右の無端ループ１０Ｒ、１０Ｌの横延伸開始位置ＥＲ、ＥＬと横延伸終了位置ＦＲ、ＦＬとの間で、上述の斜め延伸に併せて横延伸が行われる。これにより、横延伸された斜め延伸シート・フィルムを生産性よく生産できる。
【００６０】
図６に示されている実施形態では、左右の無端ループ１０Ｒ、１０Ｌの横延伸開始位置ＥＲとＥＬ、横延伸終了位置ＦＲとＦＬが各々シート・フィルムの進行方向に対して同一位置に設定されているが、図７に示されているように、左右の無端ループ１０Ｒ、１０Ｌの横延伸開始位置ＥＲとＥＬ、横延伸終了位置ＦＲとＦＬを、各々、右側の無端ループ１０Ｒのクリップ２０の縦方向クリップピッチ拡大開始位置ＡＲと左側の無端ループ１０Ｌのクリップ２０の縦方向クリップピッチ拡大開始位置ＡＬとのシート・フィルムの進行方向の差ΔＬと同じだけ、ずらしてもよい。
【００６１】
この場合には、斜め延伸区間（縦延伸区間）と横延伸区間が、左右の無端ループ１０Ｒ、１０Ｌで、シート・フィルムの進行方向で見て同一になる。
【００６２】
また、横延伸を行わない場合は、図８に示されているように、右側の無端ループ１０Ｒのクリップ２０の縦方向クリップピッチ拡大開始位置ＡＲと、左側の無端ループ１０Ｌのクリップ２０の縦方向クリップピッチ拡大開始位置ＡＬとに、シート・フィルムの進行方向の差ΔＬを与えるだけでよい。
【００６３】
なお、この場合も、左右の無端ループ１０Ｒ、１０Ｌは等速駆動で、右側の無端ループ１０Ｒのクリップ２０の縦方向クリップピッチ拡大開始位置ＡＲと拡大終了位置ＢＲとの距離と、左側の無端ループ１０Ｌのクリップ２０の縦方向クリップピッチ拡大開始位置ＡＬと拡大終了位置ＢＬとの距離は互いに等しい値に設定されていてよい。
【００６４】
斜め延伸を行う場合のもう一つの実施形態を、図９を参照して説明する。この実施形態では、クリップ２０の縦方向のクリップピッチ拡大率（単位移動量当りの縦方向のクリップピッチの拡大量）が、右側の無端ループ１０Ｒと、左側の無端ループ１０Ｌとで互いに異なっている。この実施形態では、右側の無端ループ１０Ｒの縦方向クリップピッチの拡大率のほうが、左側の無端ループ１０Ｌの縦方向クリップピッチの拡大率より大きい。
【００６５】
このように、右側の無端ループ１０Ｒと左側の無端ループ１０Ｌとで、クリップ２０の縦方向のクリップピッチ拡大率が違っていることによっても、斜め延伸が行われる。
【００６６】
この実施形態では、左右の無端ループ１０Ｒ、１０Ｌは等速駆動で、右側の無端ループ１０Ｒのクリップ２０の縦方向クリップピッチ拡大開始位置ＡＲと、左側の無端ループ１０Ｌのクリップ２０の縦方向クリップピッチ拡大開始位置ＡＬとを、シート・フィルムの進行方向に対して同一位置に設定することができる。
【００６７】
この設定で、左右の延伸率が等しい斜め延伸シート・フィルムを生産したい場合には、右側の無端ループ１０Ｒのクリップ２０の縦方向クリップピッチ拡大開始位置ＡＲと拡大終了位置ＢＲとの距離より、左側の無端ループ１０Ｌのクリップ２０の縦方向クリップピッチ拡大開始位置ＡＬと拡大終了位置ＢＬとの距離を長くし、縦方向の延伸終了時における縦方向クリップピッチを左右のクリップ２０で等しい値になるようにすればよい。
【００６８】
この実施形態でも、左右のクリップ２０の移動軌跡長に差を与えることなく斜め延伸を行うことができ、直進タイプで、シート・フィルムの幅方向（ＴＤ方向）で配向むらが生じたりすることなく、高品質の斜め延伸シート・フィルムを安定して生産することができる。また、クリップ２０によってシート・フィルムを把持するクリップ・オン時の左右のクリップ２０の移動速度が等しく、クリップ２０によるシート・フィルムの把持を解放するクリップ・オフ時の左右のクリップ２０の移動速度も等しことにより、シート・フィルムの把持、解放が、左右で、ばらつくことがない。このことによっても、高品質の斜め延伸シート・フィルムを安定して生産することができる。
【００６９】
なお、この実施形態、つまり、クリップ２０の縦方向のクリップピッチ拡大率を、右側の無端ループ１０Ｒと左側の無端ループ１０Ｌとで差を与える実施形態でも、図６、図７に示されている実施形態と同様の横延伸を併せて行うこともでき、また、クリップ２０の縦方向クリップピッチが拡大を開始する位置を左側のクリップ２０と右側のクリップ２０とでシート・フィルムの進行方向に対して差を与えることを組み合わせて斜め延伸を行うこともできる。
【図面の簡単な説明】
【００７０】
【図１】この発明によるクリップ式シート・フィルム延伸装置の一つの実施形態の全体構成を示す平面図である。
【図２】一つの実施形態によるクリップ式シート・フィルム延伸装置の要部の最小ピッチ状態の平面図である。
【図３】一つの実施形態によるクリップ式シート・フィルム延伸装置の要部の最大ピッチ状態の平面図である。
【図４】一つの実施形態によるクリップ式シート・フィルム延伸装置の要部の最小ピッチ状態の側面図である。
【図５】一つの実施形態によるクリップ式シート・フィルム延伸装置の要部の最大ピッチ状態の側面図である。
【図６】この発明によるクリップ式シート・フィルム延伸装置による斜め延伸の一つの実施形態を示す全体平面図である。
【図７】この発明によるクリップ式シート・フィルム延伸装置による斜め延伸の他の実施形態を示す全体平面図である。
【図８】この発明によるクリップ式シート・フィルム延伸装置による斜め延伸の他の実施形態を示す全体平面図である。
【図９】この発明によるクリップ式シート・フィルム延伸装置による斜め延伸のもう一つの実施形態を示す全体平面図である。
【符号の説明】
【００７１】
１０Ｒ、１０Ｌ  無端ループ
１１、１２  駆動用スプロケット
１３、１４  電動モータ
２０  クリップ
３０  クリップ担持部材
３１、３２  軸
３３、３４  走行輪
３５  上梁
３６  下梁
３７  前壁
３８  後壁
３９  長孔
４０  スライダ
５１  第１の軸部材
５２  第２の軸部材
５３  主リンク部材
５４  副リンク部材
５５  枢軸
５６  案内ローラ
５７  ピッチ設定ローラ
５８  駆動ローラ
６１、６２  ストッパ部材
１００  基準レール
１０１  凹溝
１１０  基台
１１１、１１２  走行路面
１２０  ピッチ設定レール
１２１  凹溝
【図１】
2008023775.tif 000003
【図２】
2008023775.tif 000004
【図３】
2008023775.tif 000005
【図４】
2008023775.tif 000006
【図５】
2008023775.tif 000007
【図６】
2008023775.tif 000008
【図７】
2008023775.tif 000009
【図８】
2008023775.tif 000010
【図９】
2008023775.tif 000011